(57)【要約】【課題】ＣＡＤで設定した図形データでオス・メス加工部を加工した場合、木材の種類や乾燥の程度によって、メス加工部にオス加工部が嵌合されなかったり、又、逆に緩く嵌合されてがたが生じたりするという問題があった。【解決手段】ＣＡＤ４に被加工木材の加工位置及び加工の種類を指定する加工指定データ出力機能４ａと被加工木材の樹種データを出力する樹種データ出力機能４ｂが設けられ、ラインコンピュータ５には、加工指定データ設定機能５ａと樹種データ設定機能５ｂ及び補正フラグ設定機能５ｃが設けられ、ＮＣ加工機７には、加工動作データを記憶する記憶機能７ａと、加工動作データ設定機能７ｂと、補正フラグを設定する補正フラグ設定機能７ｃと、補正フラグで加工動作データに補正を施すための演算を行う演算機能７ｄを設けている。【選択図】        図１
2004341882.tif 000002
【特許請求の範囲】
【請求項１】
加工する被加工木材の加工位置及び加工種類を指定する加工指定データ出力機能と、被加工木材の樹種データを出力する樹種データ出力機能とを有するＣＡＤと、該ＣＡＤの前記加工指定データ出力機能からの加工指定データを設定する加工指定データ設定機能と、ＣＡＤの前記樹種データ出力機能から入力された樹種データを設定する樹種データ設定機能と、接続された入力装置の設定信号で前記樹種データ設定機能で設定された樹種データに補正を付加するかどうかの補正フラグを設定する補正フラグ設定機能とからなるラインコンピュータと、被加工木材を加工する加工機の加工動作データを記憶する記憶機能と、前記ラインコンピュータの加工指定データ設定機能からの加工指定データで前記記憶機能から前記加工機の加工動作データを設定する加工動作データ設定機能と、前記ラインコンピュータの前記樹種データ設定機能からの樹種データと前記補正フラグ設定機能からの補正フラグとから前記加工動作データ設定機能からの加工動作データの加工寸法に補正を付加する演算を施す演算機能とからなるＮＣ加工機とからなり、該ＮＣ加工機の前記加工動作データ設定機能からの加工動作データ又は前記演算機能からの補正された加工動作データで被加工木材に前記加工機で加工を施すようにすることを特徴とする被加工木材の加工寸法調整装置。
【発明の詳細な説明】
【０００１】
【発明の属する技術分野】
本発明は、木材の種類によって、加工する被加工部材のオス・メスの寸法を補正する被加工木材の加工寸法調整装置に関するものである。
【０００２】
【従来の技術】
従来、ＣＡＤから木材の加工位置や加工の種類を指定する加工指定データをＮＣ加工機に送信し、ＮＣ加工機はＣＡＤからの加工指定データで被加工木材の加工位置を判断し、その加工位置にどの加工を施すかを内蔵した記憶記憶から読み出して、図２に示すように被加工部材１の先端にオス加工部２を施し、又、図３に示すように被加工部材１の側面にメス加工部３を施すようにしている。
【０００３】
【発明が解決しようとする課題】
しかしながら、このようにＣＡＤで設定した加工指定データによって、ＮＣ加工機で被加工木材１にオス・メス加工部２、３を加工した場合、木材の種類によって、乾燥の程度によりオス加工部２及びメス加工部３の幅Ａ及び高さＢが変更され、メス加工部３にオス加工部２が嵌合されなかったり、又、逆に緩く嵌合されてがたが生じたりするという問題があった。
【０００４】
【課題を解決するための手段】
本発明は、加工する被加工木材の加工位置及び加工種類を指定する加工指定データ出力機能と、被加工木材の樹種データを出力する樹種データ出力機能とを有するＣＡＤと、該ＣＡＤの前記加工指定データ出力機能からの加工指定データを設定する加工指定データ設定機能と、ＣＡＤの前記樹種データ出力機能から入力された樹種データを設定する樹種データ設定機能と、接続された入力装置の設定信号で前記樹種データ設定機能で設定された樹種データに補正を付加するかどうかの補正フラグを設定する補正フラグ設定機能とからなるラインコンピュータと、被加工木材を加工する加工機の加工動作データを記憶する記憶機能と、前記ラインコンピュータの加工指定データ設定機能からの加工指定データで前記記憶機能から前記加工機の加工動作データを設定する加工動作データ設定機能と、前記ラインコンピュータの前記樹種データ設定機能からの樹種データと前記補正フラグ設定機能からの補正フラグとから前記加工動作データ設定機能からの加工動作データの加工寸法に補正を付加する演算を施す演算機能とからなるＮＣ加工機とからなり、該ＮＣ加工機の前記加工動作データ設定機能からの加工動作データ又は前記演算機能からの補正された加工動作データで被加工木材に前記加工機で加工を施すようにするものである。
【０００５】
【発明の実施の形態】
本発明では、指定された被加工木材の加工の位置及び加工の種類を指定する加工指定データと被加工木材の樹種を指定する樹種データをＣＡＤからラインコンピュータに入力して加工指定データ設定機能と樹種データ設定機能で設定し、ラインコンピュータの入力装置で、樹種によって補正を施すかどうかの補正フラグを補正フラグ設定機能で付加し、ラインコンピュータの加工指定データ設定機能からの加工指定データによって、ＮＣ加工機では、記憶機能から加工動作データ設定機能に加工動作データを設定し、ラインコンピュータの補正データ設定機能から補正フラグが入力されない場合は樹種データ設定機能からの樹種データと加工動作データ設定機能からの加工動作データで加工機により被加工木材に加工を施し、ラインコンピュータの補正データ設定機能から補正フラグが入力された場合は、加工動作データ設定機能からの加工動作データを演算機能に入力して、加工動作データに補正演算を施し、この補正された加工動作データにより加工機で被加工木材に加工を施す。
【０００６】
【実施例】
図１は本発明の実施例の被加工部材の加工寸法調整装置のブロック図で、ＣＡＤ４に被加工木材の加工位置及び加工の種類を指定する加工指定データ出力機能４ａと被加工木材の樹種データを出力する樹種データ出力機能４ｂが設けられ、又、ＣＡＤ４に接続されたラインコンピュータ５には、ＣＡＤ４の加工指定データ出力機能４ａから出力された加工指定データを設定する加工指定データ設定機能５ａと、ＣＡＤ４の樹種データ出力機能４ｂから樹種データを設定する樹種データ設定機能５ｂが設けられ、又、ラインコンピュータ５に接続された入力装置６で、樹種データ設定機能５ｂで設定された樹種によって補正加工を施すかどうかの補正フラグを設定する補正フラグ設定機能５ｃが設けられ、さらに、ラインコンピュータ５に接続されたＮＣ加工機７は、加工機８の加工動作及び加工の種類等の加工動作データを記憶する記憶機能７ａと、ラインコンピュータ５から入力された加工指定データによって、記憶機能７ａから加工動作データを設定する加工動作データ設定機能７ｂと、ラインコンピュータ５の補正フラグ設定機能５ｃから補正フラグが入力された場合、補正フラグを設定する補正フラグ設定機能７ｃと、この補正フラグ設定機能７ｃで設定された補正フラグによって、加工動作データ設定機能７ｂからの加工動作データに補正を施すための演算を行う演算機能７ｄを設けている。
【０００７】
このように構成された本実施例の被加工部材の加工寸法調整装置の動作を説明すると、まず、ＣＡＤ４は例えば家屋で使用する被加工木材の加工する部分及び加工する種類を指定する加工指定データを加工指定データ出力機能５ａから出力し、又、使用した被加工木材の樹種を指定する樹種データを樹種データ出力機能４ｂから出力すると、ラインコンピュータ５は入力された加工指定データを加工指定データ設定機能定５ａで設定し、又、入力された樹種データを樹種データ設定機能５ｂに設定し、ラインコンピュータ５に接続された入力装置６から補正フラグを入力して、被加工木材で加工する加工値を補正しなければならない樹種を選択し、補正フラグを補正フラグ設定機能５ｃに設定することにより、ＮＣ加工機７では、ラインコンピュータ５から入力された加工指定データで、被加工木材を加工する加工機８の加工動作を設定する加工動作データを記憶機能７ａから読み出して加工動作データ設定機能７ｂに設定し、又、補正フラグ設定機能７ｃに設定されたラインコンピュータ５からの補正フラグをよって、加工動作データを加工動作データ設定機能７ｂから演算機能７ｄに入力して、加工動作データを補正し、加工動作データ設定機能７ｂから出力した加工動作データで被加工木材の樹種によって補正しない加工を加工機８によって行い、演算機能７ｄからの補正された加工動作データによって、被加工木材の樹種により補正した加工動作データで加工機８により加工を行う。
【０００８】
このように、本実施例では、被加工部材１の樹種によってラインコンピュータ５の入力装置６で設定された補正フラグにより、ＮＣ加工機７は記憶機能７ａに所持している加工動作データを補正して、加工機８により加工を行うようにし、補正フラグがラインコンピュータで設定されい樹種の被加工木材は、記憶機能７ａに所持している加工動作データで加工機８により加工を行うようにしたので、補正フラグが無い場合は、図２に示すオス加工部２及び図３に示すメス加工部３を補正することなく加工し、補正フラグがある場合は補正された加工動作データによって加工することにより、オス加工部２及びメス加工部３は被加工部材の樹種に応じて、オス加工部２及びメス加工部３の幅Ａ及び高さＢの寸法を大きくしたり、小さくして、加工後にオス加工部２及びメス加工部３が変化しても、その変化分に応じて寸法が補正されているので、嵌合が一致しなかったり、がたになったりすることが無いという利点がある。
【０００９】
【発明の効果】
以上説明したように、本発明の被加工部材の加工寸法調整装置では、被加工部材の樹種によってラインコンピュータの入力装置で設定された補正フラグにより、ＮＣ加工機は記憶機能に所持している加工動作データを補正して、加工機により加工を行うようにし、補正フラグがラインコンピュータで設定されない樹種の被加工木材は、記憶機能に所持している加工動作データで加工機により加工を行うようにしたので、加工されたオス・メスの加工部は樹種や乾燥の度合いによって、形状寸法が異なる場合に補正することができ、加工後にオス加工部及びメス加工部が変化しても、その変化分に応じて寸法が補正されているので、嵌合が一致しなかったり、がたになったりすることが無いという利点がある。
【図面の簡単な説明】
【図１】図１は本発明の実施例の被加工部材の加工寸法調整装置のブロック図である。
【図２】図２は被加工部材のオス加工部の正面図である。
【図３】図３は被加工部材のメス加工部の側面図である。
【符号の説明】
１              被加工部材
２              オス加工部
３              メス加工部
４              ＣＡＤ
５              ラインコンピュータ
６              入力装置
７              ＮＣ加工機
８              加工機
【図１】
2004341882.tif 000003
【図２】
2004341882.tif 000004
【図３】
2004341882.tif 000005